(57)【要約】【課題】確実に着信することが認識でき、音響機器を楽しんでいる者が利用者以外にいたとしても、迷惑をかけることが防止できる電話装置およびその音響機器遠隔操作方法を提供する。【解決手段】テレビを遠隔操作する機能を有するコードレス電話装置の子機３において、マイク１１から着信中の周囲の音を入力して音量を測定し、周囲の音が所定音量以上であれば、テレビの音声出力を低下させる遠隔操作の通知を、テレビへ送信する制御部を有している。そして制御部は、着信中の音量の測定を、着信音が鳴動していない間に行うことで、周囲の音に着信音が重畳されていない状態で測定することができる。【選択図】図２
2007142815.tif 000002
【特許請求の範囲】
【請求項１】
音響機器を遠隔操作する機能を有する電話装置において、
着信音を出力するスピーカと、
音を入力するマイクと、
前記マイクから着信中の周囲の音を入力して音量を測定し、前記周囲の音が所定音量以上であれば、前記音響機器の音声出力を所定音量低下させる減音の通知を、前記音響機器へ送信する制御部とを備えたことを特徴とする電話装置。
【請求項２】
前記制御部は、前記着信中の音量の測定を、前記着信音が鳴動していない間に行うことを特徴とする請求項１記載の電話装置。
【請求項３】
前記制御部は、前記着信中の音量の測定を前記着信音が鳴動中に行うときには、入力した周囲の音から前記着信音を相殺することを特徴とする請求項１記載の電話装置。
【請求項４】
前記制御部は、前記減音の通知を送信した回数を記憶し、通話が終了したとき、または着信が途絶えたときに、前記減音の通知を送信した回数分の前記音響機器の音声出力を上昇させる増音の通知を、前記音響機器へ送信することを特徴とする請求項１から３のいずれかの項に記載の電話装置。
【請求項５】
音響機器を遠隔操作する機能を有する電話装置の音響機器遠隔操作方法において、
着信中の周囲の音量を測定し、
前記周囲の音量が所定音量以上であれば、前記音響機器の音声出力を低下させる減音の通知を、前記音響機器へ送信することを特徴とする電話装置の音響機器遠隔操作方法。
【請求項６】
前記着信中の音量の測定を、前記着信音が鳴動していない間に行うことを特徴とする請求項５記載の電話装置の音響機器遠隔操作方法。
【請求項７】
前記着信中の音量の測定を前記着信音が鳴動中に行うときには、入力した周囲の音から前記着信音を相殺して行うことを特徴とする請求項５記載の電話装置の音響機器遠隔操作方法。
【請求項８】
前記減音の通知を送信した回数を記憶し、
通話が終了したとき、または着信が途絶えたときに、前記減音の通知を送信した回数分の前記音響機器の音声出力を上昇させる遠隔操作の通知を、前記音響機器へ送信することを特徴とする請求項５から７のいずれかの項に記載の電話装置の音響機器遠隔操作方法。
【請求項９】
音響機器を遠隔操作する機能を有する電話装置において、
着信音を出力するスピーカと、
音を入力するマイクと、
制御部とを備え、
前記制御部は、
着信検知をした時に前記マイクから着信中の周囲の音を入力して音量を測定し、該測定に応じて前記音響機器の音声出力を低下させる減音の通知を送信し、
該着信検知により減音の通知を送信した場合には該着信によって始まった通話が終了した時に前記減音の通知により減音された音響機器の音量が復帰するように増音の通知を前記音響機器へ送信する
ことを特徴とする電話装置。
【請求項１０】
音響機器を遠隔操作する機能を有する電話装置において、
着信音を出力するスピーカと、
音を入力するマイクと、
表示部と、
音量調節キーおよびミュートキーと、
上部、下部、左部または右部のいずれかを押下することで表示部に表示されるカーソルを移動させることができる選択キーと、
音響機器を遠隔操作するためのコマンドを送信するリモコン送信部と、
制御部とを備え、
前記制御部は、
前記音量調節キーが押下される度に減音コマンドまたは増音コマンドをリモコン送信部より送信させ、
前記ミュートキーが押下されると消音コマンドをリモコン送信部より送信させ、
着信検知をした時に前記マイクから着信中の周囲の音を入力して音量を測定し、該測定に応じて前記音響機器の音声出力を低下させるように減音コマンドをリモコン送信部より送信させ、
該着信検知により減音の通知を送信した場合には該着信によって始まった通話が終了した時に前記減音コマンドにより減音された音響機器の音量が復帰するように増音コマンドをリモコン送信部より送信させ、
選択キーにより表示部上のカーソルを上下方向に移動させて「テレビリモコン」機能が選択された場合にチャンネル切り替えモードに遷移し、
チャンネル切り替えモードにおいて選択キーが押下される度にチャンネル切替えコマンドをリモコン送信部より送信させる
ように制御することを特徴とする電話装置。
【発明の詳細な説明】
【技術分野】
【０００１】
本発明は、音響機器を遠隔操作することができる電話装置およびその音響機器遠隔操作方法に関する。
【背景技術】
【０００２】
音響機器であるテレビを見たり、ラジオを聞いたりして楽しんでいる傍で、電話装置で通話するのは音響機器からの音が邪魔である。このようなときに、音響機器を遠隔操作して、音響機器からの音を消す電話装置が特許文献１に記載されている。
【０００３】
特許文献１に記載のコードレステレホンは、子機が取り上げられたことを検知して消音信号を消音対象テレビ装置へ出力するものである。また特許文献３には、コードレス電話機にテレビのリモートコントロールの為の制御基板や発信部、制御ボタンを設ける点が記載されており、電源の入り／切り，消音の入り／切り，音量増減のためのボタンをコードレス電話機の前面に設けている。
【０００４】
しかし、通話するときになってから音響機器の音を消したのでは、着信を報知する着信音が聞こえないおそれがある。特許文献３に記載のコードレス電話装置では、電話回線からの着信があると、音響機器に対して「ミュート」信号を送信することで音響機器の音量を下げさせるので、利用者は電話回線からの着信を的確に知ることができる。
【特許文献１】特開平４−８１１５６号公報
【特許文献２】特開２０００−１２５０２７号公報
【特許文献３】特開平５−１３０１８１号公報
【発明の開示】
【発明が解決しようとする課題】
【０００５】
しかし、特許文献３に記載のコードレス電話装置では、音響機器に対して「ミュート」信号を送信しているので、音響機器からの音量を下げるだけでなく、消音の状態にしてしまう。電話装置に着信があるときに、音響機器を楽しんでいる者が一人であれば、その者が着信している電話装置にでるので、音響機器からの音を消音しても問題はない。しかし、他の者が一緒に電話装置の利用者と音響機器からの音を楽しんでいれば、突然音響機器からの音を消音してしまうと、音響機器がテレビやラジオであれば折角の番組を聞き逃すことになる。
【０００６】
そうなると、通話が終了したときに、電話装置の利用者と揉めたり、諍いの元となったりして、気まずい雰囲気になることも想定される。
【０００７】
そこで本発明は、確実に着信したことが認識でき、音響機器を楽しんでいる者が利用者以外にいたとしても、迷惑をかけることが防止できる電話装置およびその音響機器遠隔操作方法を提供することを目的とする。
【課題を解決するための手段】
【０００８】
本発明は、音響機器を遠隔操作する機能を有する電話装置において、マイクから着信中の周囲の音を入力して音量を測定し、前記周囲の音が所定音量以上であれば、前記音響機器の音声出力を低下させる遠隔操作の通知を、前記音響機器へ送信することを特徴とする。
【発明の効果】
【０００９】
本発明は、着信音が聞こえる程度に音響機器の音声出力を低下させても、電話装置の利用者以外の者が音響機器を楽しめる程度の音量は確保できるので、確実に着信したことが認識でき、音響機器を楽しんでいる者が利用者以外にいたとしても、迷惑をかけることが防止できる。
【発明を実施するための最良の形態】
【００１０】
本願の第１の発明は、音響機器を遠隔操作する機能を有する電話装置において、着信音を出力するスピーカと、音を入力するマイクと、マイクから着信中の周囲の音を入力して音量を測定し、周囲の音が所定音量以上であれば、音響機器の音声出力を所定音量低下させる減音の通知を、音響機器へ送信する制御部とを備えたことを特徴としたものである。
【００１１】
着信があると着信を報知する着信音がスピーカから鳴動される。音響機器の音量が大きいときには、着信音が電話装置の利用者に聞こえない場合がある。制御部は、マイクにより入力した着信中の周囲の音量を測定する。周囲の音には音響機器からの音が含まれているので、音響機器からの音が大きい場合にはマイクにより入力した周囲の音は、その音の大きさに応じて大きくなる。制御部は、着信音が聞こえない程度に大きい周囲の音量を所定音量として測定した音量と比較する。制御部は、比較した結果、所定音量より周囲の音の方が大きい場合には、音響機器の音声出力を低下させる減音の通知を音響機器へ送信する。音声出力を低下させる遠隔操作の通知を受信した音響機器は、減音の通知で設定された音量分ほど音量を低下させる。音響機器を楽しむにはある程度の音量を大きくして聞いているものなので、数回の減音の通知による音量の低下では消音の状態にはならないものである。従って、着信音が聞こえる程度に音響機器の音声出力を低下させても、電話装置の利用者以外の者が音響機器を楽しめる程度の音量は確保できる。
【００１２】
本願の第２の発明は、制御部は、着信中の音量の測定を、着信音が鳴動していない間に行うことを特徴としたものである。
【００１３】
制御部が着信中の周囲の音を入力して音量を測定するときに、着信を報知する着信音がスピーカから鳴動していると周囲の音に着信音が重畳されてマイクから入力される。そうなると、着信音分ほど大きな音量となる。そこで制御部は、着信中の音量の測定を、着信音が鳴動していない間に行うことで、周囲の音に着信音が重畳されていない状態で音響機器からの音量を測定することができる。
【００１４】
本願の第３の発明は、制御部は、着信中の音量の測定を着信音が鳴動中に行うときには、入力した周囲の音から着信音を相殺することを特徴としたものである。
【００１５】
制御部が着信中の周囲の音を入力して音量を測定するときに、着信を報知する着信音がスピーカから鳴動していると周囲の音に着信音が重畳されてマイクから入力される。そうなると、着信音分ほど大きな音量となる。そこで制御部は、着信中の音量の測定を着信音が鳴動中に行うときには、入力した周囲の音から着信音を相殺する。そうすることで、周囲の音に重畳された着信音をキャンセルすることができるので、周囲の音に着信音が重畳されていない状態とすることができる。
【００１６】
本願の第４の発明は、制御部は、減音の通知を送信した回数を記憶し、通話が終了したとき、または着信が途絶えたときに、減音の通知を送信した回数分の音響機器の音声出力を上昇させる増音の通知を、音響機器へ送信することを特徴としたものである。
【００１７】
着信中に音響機器の音量を減音する通知を送信することで音響機器を減音させるが、通話が終了する、または着信が途絶えると、電話装置の利用者は、また音響機器を楽しみたいものである。そこで、制御部が、減音の通知を送信した回数を記憶し、通話が終了する
か、または着信が途絶えたときに、その回数分ほど音響機器の音声出力を上昇させる増音の通知を音響機器へ送信することで、わざわざ電話装置の利用者が、音響機器のリモコンで増音する操作を行うことなく、電話装置の使用前の状態に復帰させることができる。
【００１８】
本願の第５の発明は、音響機器を遠隔操作する機能を有する電話装置の音響機器遠隔操作方法において、着信中の周囲の音量を測定し、周囲の音量が所定音量以上であれば、音響機器の音声出力を低下させる減音の通知を、音響機器へ送信することを特徴としたものである。
【００１９】
音響機器の音量が大きいときには、着信を報知する着信音が電話装置の利用者に聞こえない場合がある。その場合に、まず着信中の周囲の音量を測定する。周囲の音には音響機器からの音が含まれているので、音響機器からの音が大きい場合には周囲の音は、その音の大きさに応じて大きくなる。そこで、着信音が聞こえない程度に大きい周囲の音量を所定音量として測定した音量と比較する。比較した結果、所定音量より周囲の音の方が大きい場合には、音響機器の音声出力を低下させる減音の通知を音響機器へ送信する。音声出力を低下させる遠隔操作の通知を受信した音響機器は、減音の通知で設定された音量分ほど低下させる。音響機器を楽しむにはある程度の音量を大きくして聞いているものなので、数回の減音の通知による音量の低下では消音の状態にはならないものである。従って、着信音が聞こえる程度に音響機器の音声出力を低下させても、電話装置の利用者以外の者が音響機器を楽しめる程度の音量は確保できる。
【００２０】
本願の第６の発明は、着信中の音量の測定を、着信音が鳴動していない間に行うことを特徴としたものである。
【００２１】
着信中の周囲の音を入力して音量を測定するときに、着信を報知する着信音がスピーカから鳴動していると周囲の音に着信音が重畳されてしまう。そうなると、着信音分ほど大きな音量となる。そこで着信中の音量の測定を、着信音が鳴動していない間に行うことで、周囲の音に着信音が重畳されていない状態で音響機器からの音量を測定することができる。
【００２２】
本願の第７の発明は、着信中の音量の測定を着信音が鳴動中に行うときには、入力した周囲の音から着信音を相殺して行うことを特徴としたものである。
【００２３】
着信中の周囲の音を入力して音量を測定するときに、着信を報知する着信音が鳴動していると周囲の音に着信音が重畳されてしまう。そうなると、着信音分ほど大きな音量となる。そこで制御部は、着信中の音量の測定を着信音が鳴動中に行うときには、周囲の音から着信音を相殺する。そうすることで、周囲の音に重畳された着信音をキャンセルすることができるので、周囲の音に着信音が重畳されていない状態とすることができる。
【００２４】
本願の第８の発明は、減音の通知を送信した回数を記憶し、通話が終了したとき、または着信が途絶えたときに、減音の通知を送信した回数分の音響機器の音声出力を上昇させる遠隔操作の通知を、音響機器へ送信することを特徴としたものである。
【００２５】
着信中に音響機器の音量を減音する通知を送信することで音響機器を減音させるが、通話が終了する、または着信が途絶えると、電話装置の利用者は、また音響機器を楽しみたいものである。そこで通話が終了するか、または着信が途絶えたときに、減音の通知を送信した回数分ほど音響機器の音声出力を上昇させる増音の通知を音響機器へ送信することで、わざわざ電話装置の利用者が、音響機器のリモコンで増音する操作を行うことなく、電話装置の使用前の状態に復帰させることができる。
【００２６】
（実施の形態）
本発明の実施の形態に係る電話装置としてファクシミリ機能付きコードレス電話装置を例に、図１から図３に基づいて説明する。図１は、本発明の実施の形態に係る電話装置の一例であるコードレス電話装置が設置されている状態を説明する図である。図２（Ａ）は、本発明の実施の形態に係る電話装置の一例であるコードレス電話装置の子機の前面側概略斜視図、図２（Ｂ）は、コードレス電話装置の子機の背面側概略斜視図、図２（Ｃ）は、コードレス電話装置の子機の前面側であり側面概略斜視図である。図３は、本発明の実施の形態に係る電話装置の一例であるコードレス電話装置の子機を説明するブロック図である。なお図２および図３においては、主要な構成のみを図示している。
【００２７】
図１に示すように、本発明の実施の形態に係る電話装置の一例であるコードレス電話装置１は、音響機器の一例であるテレビＴが設置されている居室に設置されている。コードレス電話装置１は、電話回線Ｌに接続されている親機２と、親機２と電波で通信を行う子機３とを備えている。図１においては、子機３として１台のみ図示しているが、複数台設置される場合もある。テレビＴを視聴する者は、電源のオンやオフ、チャンネルの切り替え、音量の調整においては、通常、テレビＴに付属されたリモコンＲを使用してテレビＴを遠隔操作する。このテレビＴはリモコンＲから送信される操作内容に応じた赤外線信号により遠隔操作されるものである。
【００２８】
図２および図３に示すように、コードレス電話装置１の子機３は、下端から順に、マイク１１、操作部１２、表示部１３、受話部１４が配置され、そして頂頭部にリモコン送信部１５が配置されている。また子機３の背面側には、スピーカ１６が配置されている。また子機３は、親機２と通信する無線部１７および制御部１８を備えている。
【００２９】
マイク１１は、通話の際の利用者の音声を入力したり、周囲の音を入力したりして、電気信号へ変換する機能を備えている。
【００３０】
操作部１２キーは、子機３の前面に配置された１２キー２０と、機能キー２１と、選択キー２２と、子機３の側面に配置された音量調節キー２３と、ミュートキー２４とを備えている。
【００３１】
１２キー２０は、発信先電話番号を入力するときなどに使用する「０」から「９」までの数字キーと「＊」および「＃」との１２個のキーで構成される。
【００３２】
機能キー２１は、モードによって機能が変わるキーであり、Ｆ１キー２１ａと、Ｆ２キー２１ｂとを備えている。
【００３３】
選択キー２２は、上部、下部、左部または右部のいずれかを押下することで、表示部１３に表示されるカーソルを移動させる機能を備え、機能の選択を行う際に使用される。また、待機状態のときに下部を押下することでメニューモードとなるメニューキーとしての機能も備えている。
【００３４】
音量調節キー２３は、子機３が待機中や通話中や、または他の状態であっても、押下することでテレビＴの音量を増加させたり、減少させたりして調節することができる。
【００３５】
ミュートキー２４は、子機３が待機中や通話中や、または他の状態であっても、押下することでテレビＴの音量を消音させることができる。
【００３６】
表示部１３は、子機３の状態を表示したり、発信するときに操作部１２を操作して入力された発信先電話番号を表示したりする機能を備えている。この表示部１３としては、液
晶表示パネル（Ｌｉｑｕｉｄ  Ｃｒｙｓｔａｌ  Ｄｉｓｐｌａｙ：ＬＣＤ）が使用されている。
【００３７】
受話部１４は、制御部１８からの通話信号を再生する小型のスピーカである。リモコン送信部１５は、制御部１８からの遠隔操作の信号に応じて赤外線を発生して、遠隔操作の通知を送信する。スピーカ１６は、制御部１８からの着信音を発生したり、受話部１４を耳に当てなくても通話を周囲に聞こえるように拡大して発生したりする大出力のスピーカである。
【００３８】
無線部１７は、親機２からの電波を受信して復調したり、制御部１８からの信号を変調して親機２へ送信したりする機能を備えている。
【００３９】
制御部１８は、子機３全体を統括制御する機能を備え、電話制御部１８ａと、リモコン制御部１８ｂと、測定部１８ｃと、記憶部１８ｄとが設けられている。
【００４０】
電話制御部１８ａは、通話制御や、表示部１３の画面制御などを行う機能を備えている。リモコン制御部１８ｂは、操作部１２の操作により、または測定部１８ｃから測定結果により、テレビＴを遠隔操作するときに、その内容に応じてテレビＴのリモコンコードをリモコン送信部１５へ通知する。測定部１８ｃは、マイク１１から入力した音声信号が、記憶部１８ｄに記憶された所定音量以下であるか否かを判定し、所定音量よりも大きい場合にリモコン制御部１８ｂへ通知する機能を備えている。
【００４１】
以上のように構成される本発明の実施の形態に係る電話装置の一例であるコードレス電話装置１の子機３の動作を図４から図９に基づいて説明する。図４および図５は、本発明の実施の形態に係る電話装置の一例であるコードレス電話装置１の子機３の動作を説明するフローチャートである。図６から図９の、（Ａ）は、本発明の実施の形態に係る電話装置の一例であるコードレス電話装置の子機の動作を説明する前面側概略斜視図、（Ｂ）は、コードレス電話装置の子機の動作を説明する背面側概略斜視図である。
【００４２】
なお、図４および図５のフローチャートは、制御部１８が電話回線Ｌからの着信を検知したときに実施する動作を示している。また本実施の形態では、着信音は、鳴動している期間と鳴動していない期間とを繰り返すようにスピーカ１６から発生されるものとする。また、本実施の形態に係るコードレス電話装置１の子機３が遠隔操作する音響機器としてテレビＴを操作するものとする。
【００４３】
まず図４に基づいて、子機３が着信音の無音状態のときに周囲の音量を測定することで、テレビＴの音量の大きさを検出する動作を説明する。
【００４４】
図４に示すように、まず制御部１８の電話制御部１８ａが着信を検知すると着信音を１回鳴動する（Ｓ１００）。着信音は、図６（Ａ）および図６（Ｂ）に示すように、子機３の背面側に配置されたスピーカ１６から発生する。
【００４５】
着信音が鳴動していない無音期間に、測定部１８ｃはマイク１１から周囲の音を入力する（Ｓ１１０）。周囲の音は、図７（Ａ）および図７（Ｂ）に示すように、子機３のマイク１１から入力される。
【００４６】
そして測定部１８ｃは、予め記憶部１８ｄに格納された所定音量とＳ１１０にて入力した周囲の音の音量を比較する（Ｓ１２０）。
【００４７】
Ｓ１２０にて比較した結果、マイク１１から入力した周囲の音量が所定音量以上であれ
ば測定部１８ｃはリモコン制御部１８ｂへ通知する。通知を受けたリモコン制御部１８ｂは、テレビＴの音量を減音する減音コマンドを、減音の通知としてリモコン送信部１５を介してテレビＴへ送信する（Ｓ１３０）。この減音コマンドは、図７（Ａ）および図７（Ｂ）に示すように、子機３のリモコン送信部１５から送信される。
【００４８】
減音コマンドは、テレビＴが出力する音量を段階的に調整するコマンドであり、１コマンドで１段階ずつ減音するものであれば、２コマンドあるいは３コマンドを１回に送信するのが望ましい。例えば、テレビＴの音量が過大なときに、着信音が無音となる期間に減音コマンドを１コマンドのみ送信したのでは、着信音が無音となる期間が相当回数にならないと、着信音が利用者に聞こえないおそれがある。そうなると、発信者は着信音が相当回数鳴っているのにオフフックされないので、留守と勘違いしてしまい発信を中止するおそれがある。１回にテレビＴに複数の減音コマンドを送信することで、テレビＴから出力される音量を、着信音とテレビＴの音声との両方が聞こえる程度の音量に、数回の着信音の発生で減音することが可能である。
【００４９】
そして、リモコン制御部１８ｂは、減音コマンドを送信した回数を記憶部１８ｄに記憶しＳ１５０へ移行する（Ｓ１４０）。
【００５０】
Ｓ１２０にて、測定部１８ｃが、所定音量と周囲の音量を比較した結果、周囲の音量が所定音量より低いと判定した場合には、テレビＴの音量は十分低く、利用者に着信音が聞こえているものと判断して、Ｓ１５０へ移行する。
【００５１】
電話制御部１８ａがＦ１キー２１ａを押下した否かを判定する（Ｓ１５０）。このＦ１キー２１ａは、図７（Ａ）および図７（Ｂ）に示すように、着信中に押下すると通話開始を指示する通話キーとして機能する。
【００５２】
Ｆ１キー２１ａが押下されていなければ、電話制御部１８ａはまだ着信中であるか否かを判定する（Ｓ１６０）。Ｓ１６０にて、まだ着信中であると判断された場合にはＳ１００へ戻り、処理を繰り返す。Ｓ１６０にて、発信者が発信を中断したなどの理由により着信が途絶えたときには、Ｓ１９０へ移行する。
【００５３】
Ｓ１５０にて、Ｆ１キー２１ａの押下が検出された場合には、利用者による通話が開始される（Ｓ１７０）。通話が開始されることで、Ｓ１３０での減音コマンドの送信が行われなくなるので、テレビＴは利用者が通話開始したときの音量を維持することになる。
【００５４】
そして通話が終了する（Ｓ１８０）。この通話の終了は、図８（Ａ）および図８（Ｂ）に示すように、Ｆ２キー２１ｂを押下することで通話が切断される。つまり、Ｆ２キー２１ｂは、通話中に押下することで通話を切断する切断キーとして機能する。
【００５５】
Ｓ１４０にて記憶した減音コマンドを送信した累積回数分ほど、リモコン制御部１８ｂは増音コマンドをテレビＴへ送信する（Ｓ１９０）。この増音コマンドは、図９（Ａ）および図９（Ｂ）に示すように、リモコン送信部１５から送信される。
【００５６】
このように、着信音が無音となる期間に周囲の音の音量を測定することで、正確に周囲にあるテレビＴなどの音響機器の音量を正確に測定することができ、着信音が聞こえる程度にテレビＴの音量を徐々に低下させることができる。
【００５７】
また、子機３が着信検知により自動的に減音コマンドを発信した場合には、その通話を終了した時または着信が途中で途絶えたりした時に、子機３は着信時に送信した減音コマンドの累積回数分だけ自動的に増音コマンドをテレビＴへ送信するので、着信時に減音し
たテレビＴの音量は自動的に復帰される。従ってわざわざ子機３の利用者がテレビＴのリモコンＲで増音する操作を行うことなく、使用前の状態に復帰させることができる。
【００５８】
次に、図５に基づいてコードレス電話装置１の子機３の動作を説明するが、図５では着信音が鳴動している間に測定した場合には入力した周囲の音から着信音をキャンセルすることにより、テレビＴの音量の大きさを検出する動作を示している。
【００５９】
図５に示すように、制御部１８の電話制御部１８ａが着信を検知すると着信音を鳴動する（Ｓ２００）。図６（Ａ）および図６（Ｂ）に示すように、着信音は、子機３の背面側に配置されたスピーカ１６から発生する。
【００６０】
そして測定部１８ｃはマイク１１から周囲の音を入力する（Ｓ２１０）。そのときに、測定部１８ｃは、電話制御部１８ａが着信音を鳴動していれば、マイク１１から入力した周囲の音から、記憶部１８ｄに予め記憶された着信音に基づいてキャンセルする。また着信音が鳴動していなければ、入力した周囲の音をそのまま使用する（Ｓ２２０）。周囲の音は、図７（Ａ）および図７（Ｂ）に示すように、子機３のマイク１１から入力される。
【００６１】
着信音のキャンセルは、測定部１８ｃが、入力した周囲の音から、電話制御部１８ａが発する着信音をリアルタイムに電話制御部１８ａから入力して相殺してもよいし、記憶部１８ｄに予め記憶しておいた着信音データを用いて相殺するようにしてもよい。また相殺は、周囲の音を周波数成分に分解して、そこから着信音の周波数成分を引いて、その差を算出してもよいし、周囲の音全体の音量から着信音全体の音量を引くことで差を算出してもよい。以下は、図４におけるＳ１２０と同様であるので説明は省略する。
【００６２】
このようにして、着信音が鳴動中であれば周囲の音から着信音を相殺してキャンセルすることで、周囲の音に含まれるテレビＴの音量を測定する。つまり、着信音が鳴動中であっても、無音状態であってもテレビＴの音量を測定することができる。従って、着信音がメロディーのような無音の期間がない場合でも周囲の音に応じてテレビＴの遠隔操作が可能である。
【００６３】
次に、本発明の実施の形態に係るコードレス電話装置１の子機３の操作部１２を操作して、テレビＴを操作する方法を図１０から図１２に基づいて説明する。図１０（Ａ）は、本発明の実施の形態に係るコードレス電話装置の子機の表示部の待機状態の表示例を示す図、図１０（Ｂ）は、コードレス電話装置の子機の表示部のメニューモードを示す図、図１０（Ｃ）は、コードレス電話装置の子機の表示部のチャンネル切り替えモードを示す図である。図１１（Ａ）は、本発明の実施の形態に係るコードレス電話装置の子機の表示部の着信中の状態の表示例を示す図、図１１（Ｂ）は、コードレス電話装置の子機の表示部のチャンネル切り替えモードを示す図である。図１２（Ａ）は、本発明の実施の形態に係るコードレス電話装置の子機の表示部の待機中の状態の表示例を示す図、図１２（Ｂ）は、コードレス電話装置の子機の表示部の通話中の状態を示す図、図１２（Ｃ）は、コードレス電話装置の子機の表示部のチャンネル切り替えモードを示す図である。
【００６４】
まずは、子機３が着信の待機状態のときにテレビＴを遠隔操作する方法を図１０に基づいて説明する。
【００６５】
図１０（Ａ）で示される待機画面から操作部１２の選択キー２２の下部の「▽」を押下すると、図１０（Ｂ）に示されるようなメニュー画面が電話制御部１８ａにより表示される。このメニュー画面は、テレビＴのメーカーを選択登録する機能を示す「テレビメーカー登録」と、子機３をテレビＴのリモコンとして動作させる機能を示す「テレビリモコン」と、親機２に接続する子機３の台数変更を登録する機能を示す「子機増設」とを選択さ
せる画面である。また画面の下側には機能キー２１のＦ１キー２１ａおよびＦ２キー２１ｂの機能の内容を示すガイダンスが表示されている。このメニュー画面が表示されるメニューモードでは、Ｆ１キー２１ａを押下すると表示文字を反転させたカーソルが位置する機能の選択決定となり、Ｆ２キー２１ｂを押下すると待機状態へ戻る復帰動作となる。
【００６６】
このメニュー画面においては、選択キー２２の上部の「△」あるいは下部の「▽」の押下で表示文字を反転表示させるカーソルを上下方向に移動させて機能の選択を指定する。そして、表示部１３にガイダンスが表示されているように、機能キー２１のＦ１キー２１ａを押下することで選択の決定を行う。ここでは、選択キー２２の下部「▽」を一回押下して「テレビリモコン」を選択した後に、Ｆ１キー２１ａを押下して、子機３をテレビリモコンとして機能させるモードとする。
【００６７】
「テレビリモコン」が選択されたことで、表示部１３の表示画面は、図１０（Ｃ）に示されるようなチャンネル切り替えモードに遷移する。この表示画面では、子機３がリモコンとして機能していることを示す「テレビリモコン」が表示されると共に、選択キー２２の上下のいずれかを押下することでチャンネルを切り替えることができる機能を示す「▼▲チャンネル切替」が表示されている。チャンネルの切り替えは、選択キー２２の上部「△」を押下する度にチャンネル番号を増加させるコマンドがリモコン制御部１８ｂがリモコン送信部１５を介して送信される。また、選択キー２２の下部「▽」を押下する度にチャンネル番号を減少させるコマンドがリモコン送信部１５から送信される。そしてテレビＴは、それらのチャンネルを切り替えるコマンドを受信する度に、チャンネル番号を一つずつ増加したり減少したりすることで、チャンネルが切り替わる。また、選択キー２２を長押しすれば、チャンネルを切り替えるコマンドがリピートして送信される。
【００６８】
このチャンネル切り替えモードでは、ガイダンスで表示されているように、Ｆ１キー２１ａを押下することで図１０（Ｂ）に示す画面に戻る。また、Ｆ２キー２１ｂを押下することでテレビＴの電源を切断する遠隔操作が可能である。
【００６９】
このようにして、子機３が待機中であったときに、選択キー２２および機能キー２１を操作してテレビＴのチャンネルの切り替えや電源の切断を行うことができる。
【００７０】
次に、子機３が着信中または通話中のときにテレビＴを遠隔操作する方法を図１１に基づいて説明する。
【００７１】
まず着信中のときは、表示部１３には図１１（Ａ）で示される画面が表示される。この画面では、「着信拒否」と「テレビリモコン」のいずれかの機能が選択できる。これらの機能は、選択キー２２の上部の「△」あるいは下部の「▽」の押下で表示文字を反転表示させるカーソルを上下方向に移動させて選択を指定する。ここで、表示部１３にガイダンスが表示されているように、機能キー２１のＦ１キー２１ａを押下することで選択の決定を行う。ここでは、選択キー２２の下部「▽」を一回押下して「テレビリモコン」を選択した後に、Ｆ１キー２１ａを押下して、子機３をテレビリモコンとして機能させるモードとする。「テレビリモコン」が選択されたことで、表示部１３の表示画面は、図１１（Ｂ）に示されるようなチャンネル切り替えモードに遷移する。この着信中でのテレビリモコンの機能は、図１０（Ｃ）で説明したときと同じ操作方法でテレビＴを遠隔操作することが可能なので、説明は省略する。
【００７２】
このようにして、子機３が着信中であったときに、選択キー２２および機能キー２１を操作してテレビＴのチャンネルの切り替えや電源の切断を行うことができる。
【００７３】
次に、通話中のときは、表示部１３には図１２（Ａ）で示される画面が表示される。そ
してＦ１キー２１ａを押下することで、図１２（Ｂ）に示される画面が表示される。この画面では、「ファックス受信」と、「テレビリモコン」と、「通話録音」のいずれかの機能が選択できる。これらの機能は、選択キー２２の上部の「△」あるいは下部の「▽」の押下で表示文字を反転表示させるカーソルを上下方向に移動させて選択を指定する。
【００７４】
そして、機能キー２１のＦ１キー２１ａを押下して選択の決定を行う。「テレビリモコン」を選択すると、表示部１３の表示画面は、図１２（Ｃ）に示されるようなチャンネル切り替えモードに遷移する。この着信中でのテレビリモコンの機能は、図１０（Ｃ）で説明したときと同じ操作方法でテレビＴを遠隔操作することが可能なので、説明は省略する。
【００７５】
このようにして、子機３が通話中であったとしても、選択キー２２および機能キー２１を操作してテレビＴのチャンネルの切り替えや電源の切断を行うことができる。
【００７６】
更に、子機３の側面に設けられた音量調節キー２３は、待機状態、着信中、または通話中のいずれの状態でも操作することで、増音コマンドまたは減音コマンドを送信することができる。従って、待機状態、着信中、または通話中であっても、テレビＴの音量を増加させたり減少させたりして調整することができる。また、ミュートキー２４は、同様に待機状態、着信中、または通話中のいずれの状態でも操作することで、消音コマンドを送信することができる。従って、待機状態、着信中、または通話中であっても、テレビＴの音量を消音することができる。
【００７７】
以上、本発明の実施の形態について説明してきたが、本発明は前記実施の形態に限定されるものではなく、例えば、テレビＴの音量の調整をコードレス電話装置１の子機３で行うようにしたが、同じ構成を親機２に搭載すれば、親機２からでも調整が可能である。また携帯電話装置や、ＰＨＳ（Ｐｅｒｓｏｎａｌ  Ｈａｎｄｙｐｈｏｎｅ  Ｓｙｓｔｅｍ）などでも電話装置であれば適用することが可能である。また、テレビＴ以外に、リモコンで遠隔操作できる音響機器であれば操作することが可能である。
【００７８】
また、本実施の形態では、赤外線により音響機器を遠隔操作しているが、音響機器が電波でリモコンとの通信をするものであれば、リモコン送信部１５を、電波を発生するものとすることも可能である。または、音響機器が他の通信手段でリモコンと通信するときには、その通信手段に応じてリモコン送信部１５を変更することで対応は可能である。
【産業上の利用可能性】
【００７９】
本発明は、確実に着信したことが認識でき、音響機器を楽しんでいる者が利用者以外にいたとしても、迷惑をかけることが防止できるので、音響機器を遠隔操作することができる電話装置に好適である。
【図面の簡単な説明】
【００８０】
【図１】本発明の実施の形態に係る電話装置の一例であるコードレス電話装置が設置されている状態を説明する図
【図２】（Ａ）本発明の実施の形態に係る電話装置の一例であるコードレス電話装置の子機の前面側概略斜視図、（Ｂ）コードレス電話装置の子機の背面側概略斜視図、（Ｃ）コードレス電話装置の子機の前面側であり側面概略斜視図
【図３】本発明の実施の形態に係る電話装置の一例であるコードレス電話装置の子機を説明するブロック図
【図４】本発明の実施の形態に係る電話装置の一例であるコードレス電話装置の子機の動作を説明するフローチャート
【図５】本発明の実施の形態に係る電話装置の一例であるコードレス電話装置の子機の動作を説明するフローチャート
【図６】（Ａ）本発明の実施の形態に係る電話装置の一例であるコードレス電話装置の子機の動作を説明する前面側概略斜視図、（Ｂ）コードレス電話装置の子機の動作を説明する背面側概略斜視図
【図７】（Ａ）本発明の実施の形態に係る電話装置の一例であるコードレス電話装置の子機の動作を説明する前面側概略斜視図、（Ｂ）コードレス電話装置の子機の動作を説明する背面側概略斜視図
【図８】（Ａ）本発明の実施の形態に係る電話装置の一例であるコードレス電話装置の子機の動作を説明する前面側概略斜視図、（Ｂ）コードレス電話装置の子機の動作を説明する背面側概略斜視図
【図９】（Ａ）本発明の実施の形態に係る電話装置の一例であるコードレス電話装置の子機の動作を説明する前面側概略斜視図、（Ｂ）コードレス電話装置の子機の動作を説明する背面側概略斜視図
【図１０】（Ａ）本発明の実施の形態に係るコードレス電話装置の子機の表示部の待機状態の表示例を示す図、（Ｂ）コードレス電話装置の子機の表示部のメニ ューモードを示す図、（Ｃ）コードレス電話装置の子機の表示部のチャンネル切り替えモードを示す図
【図１１】（Ａ）本発明の実施の形態に係るコードレス電話装置の子機の表示部の着信中の状態の表示例を示す図、（Ｂ）コードレス電話装置の子機の表示部のチャンネル切り替えモードを示す図
【図１２】（Ａ）本発明の実施の形態に係るコードレス電話装置の子機の表示部の待機中の状態の表示例を示す図、（Ｂ） コードレス電話装置の子機の表示部の通話中の状態を示す図、（Ｃ）コードレス電話装置の子機の表示部のチャンネル切り替えモードを示す図
【符号の説明】
【００８１】
１    コードレス電話装置
２    親機
３    子機
１１    マイク
１２    操作部
１３    表示部
１４    受話部
１５    リモコン送信部
１６    スピーカ
１７    無線部
１８    制御部
１８ａ    電話制御部
１８ｂ    リモコン制御部
１８ｃ    測定部
１８ｄ    記憶部
２０    １２キー
２１    機能キー
２１ａ    Ｆ１キー
２１ｂ    Ｆ２キー
２２    選択キー
２３    音量調節キー
２４    ミュートキー
Ｌ    電話回線
Ｒ    リモコン
Ｔ    テレビ
【図１】
2007142815.tif 000003
【図２】
2007142815.tif 000004
【図３】
2007142815.tif 000005
【図４】
2007142815.tif 000006
【図５】
2007142815.tif 000007
【図６】
2007142815.tif 000008
【図７】
2007142815.tif 000009
【図８】
2007142815.tif 000010
【図９】
2007142815.tif 000011
【図１０】
2007142815.tif 000012
【図１１】
2007142815.tif 000013
【図１２】
2007142815.tif 000014